(57)【要約】【課題】  Ｘ線ＣＴ装置において過去の被曝線量を考慮したスキャン計画を容易に立てることが可能になる。【解決手段】  Ｘ線管より発生するＸ線を被検体に複数方向から照射するスキャンを行い、該被検体の断層像を再構成するＸ線ＣＴ装置における情報処理方法であって、前記再構成された断層像ごとに付加され、該断層像再構成のためのスキャン時に前記被検体が受けた被曝線量に関する情報を、前記被検体を識別する識別情報に基づいて抽出する工程（ステップＳ７０２）と、前記抽出された被曝線量に関する情報（これからのスキャン計画でうけるだろう被曝予測線量及び被曝限度量）に基づいて、前記スキャン方向に直交する軸に対する被曝線量分布を生成する工程（ステップＳ７０３）と、前記生成された被曝線量分布を表示する工程とを備える。【選択図】  図７
2005058653.tif 000002
【特許請求の範囲】
【請求項１】
Ｘ線管より発生するＸ線を被検体に複数方向から照射するスキャンを行い、該被検体の断層像を再構成するＸ線ＣＴ装置であって、
前記再構成された断層像ごとに付加され、該断層像再構成のためのスキャン時に前記被検体が受けた被曝線量に関する情報を、前記被検体を識別する識別情報に基づいて抽出する抽出手段と、
前記抽出された被曝線量に関する情報に基づいて、前記スキャン方向に直交する軸に対する被曝線量分布を生成する生成手段と、
前記生成された被曝線量分布を表示する表示手段と
を備えることを特徴とするＸ線ＣＴ装置。
【請求項２】
前記表示手段は、
前記Ｘ線管を所定位置に固定したまま被検体を搬送することで得られた透視像に対して、前記被曝線量分布を重ねて表示することを特徴とする請求項１に記載のＸ線ＣＴ装置。
【請求項３】
前記表示手段は、
前記スキャン方向と直交する軸に対して、前記透視像の位置と前記被曝線量分布の位置とが一致するように重ねて表示することを特徴とする請求項１に記載のＸ線ＣＴ装置。
【請求項４】
前記表示手段は、
前記被検体に対してスキャンを行う場合に該被検体がうける被曝線量を、前記算出された被曝線量分布に加算して表示することを特徴とする請求項１に記載のＸ線ＣＴ装置。
【請求項５】
前記表示手段は、
前記被検体に対してスキャンを行う場合に該被検体がうける被曝線量を、前記算出された被曝線量分布に加算してスキャン計画時に表示することを特徴とする請求項１に記載のいＸ線ＣＴ装置。
【請求項６】
前記識別情報は、
被検体のＩＤ、被検体名称のいずれかを含むことを特徴とする請求項１に記載のＸ線ＣＴ装置。
【請求項７】
前記抽出手段は、
前記被検体を識別する識別情報に基づいて、所定の期間内に再構成された断層像に付加された被曝線量に関する情報を抽出することを特徴とする請求項１に記載のＸ線ＣＴ装置。
【請求項８】
前記生成手段は、
前記抽出手段により、前記スキャン方向に直交する軸上の同じ位置に、複数の前記被曝線量に関する情報が抽出された場合、該複数の被曝線量に関する情報を累積して前記被曝線量分布を生成することを特徴とする請求項１に記載のＸ線ＣＴ装置。
【請求項９】
前記表示手段は、
前記所定の期間内に前記被検体が受けうる被曝線量の許容値を表示することを特徴とする請求項１に記載のＸ線ＣＴ装置。
【請求項１０】
Ｘ線管より発生するＸ線を被検体に複数方向から照射するスキャンを行い、該被検体の断層像を再構成するＸ線ＣＴ装置における情報処理方法であって、
前記再構成された断層像ごとに付加され、該断層像再構成のためのスキャン時に前記被検体が受けた被曝線量に関する情報を、前記被検体を識別する識別情報に基づいて抽出する抽出工程と、
前記抽出された被曝線量に関する情報に基づいて、前記スキャン方向に直交する軸に対する被曝線量分布を生成する生成工程と、
前記生成された被曝線量分布を表示する表示工程と
を備えることを特徴とする情報処理方法。
【請求項１１】
前記表示工程は、
前記Ｘ線管を所定位置に固定したまま被検体を搬送することで得られた透視像に対して、前記被曝線量分布を重ねて表示することを特徴とする請求項１０に記載の情報処理方法。
【請求項１２】
前記表示工程は、
前記スキャン方向と直交する軸に対して、前記透視像の位置と前記被曝線量分布の位置とが一致するように重ねて表示することを特徴とする請求項１０に記載の情報処理方法。
【請求項１３】
前記表示工程は、
前記被検体に対してスキャンを行う場合に該被検体がうける被曝線量を、前記算出された被曝線量分布に加算して表示することを特徴とする請求項１０に記載の情報処理方法。
【請求項１４】
前記表示工程は、
前記被検体に対してスキャンを行う場合に該被検体がうける被曝線量を、前記算出された被曝線量分布に加算してスキャン計画時に表示することを特徴とする請求項１０に記載の情報処理方法。
【請求項１５】
前記識別情報は、
被検体のＩＤ、被検体名称のいずれかを含むことを特徴とする請求項１０に記載の情報処理方法。
【請求項１６】
前記抽出工程は、
前記被検体を識別する識別情報に基づいて、所定の期間内に再構成された断層像に付加された被曝線量に関する情報を抽出することを特徴とする請求項１０に記載の情報処理方法。
【請求項１７】
前記生成工程は、
前記抽出工程により、前記スキャン方向に直交する軸上の同じ位置に、複数の前記被曝線量に関する情報が抽出された場合、該複数の被曝線量に関する情報を累積して前記被曝線量分布を生成することを特徴とする請求項１０に記載の情報処理方法。
【請求項１８】
前記表示工程は、
前記所定の期間内に前記被検体が受けうる被曝線量の許容値を表示することを特徴とする請求項１０に記載の情報処理方法。
【請求項１９】
請求項１０乃至１８のいずれか１つに記載の情報処理方法をコンピュータによって実現させるための制御プログラムを格納した記憶媒体。
【請求項２０】
請求項１０乃至１８のいずれか１つに記載の情報処理方法をコンピュータによって実現させるための制御プログラム。
【発明の詳細な説明】
【技術分野】
【０００１】
本発明はＸ線照射によって被検体の断層像を得るＸ線ＣＴ（Computerized Tomography）装置に関するものである。
【背景技術】
【０００２】
Ｘ線ＣＴ装置は、Ｘ線を発生するＸ線発生源が被検体（患者）の周りを回転し、患者を透過した異なる投影角度でのＸ線をＸ線検出器により検出し（このような動作を一般に「スキャン」と呼ぶ）、当該スキャン結果を操作コンソールにてコンピュータ処理することによって撮影対象部位の断層面（スライス位置における面、すなわちスライス面）の画像（Ｘ線断層像）を得る（再構成する）ものである。
【０００３】
通常、オペレータは、かかるスキャンを行うにあたり、撮影対象部位や診断目的に合わせて、スキャン条件や再構成処理の条件について計画を立てる。このような計画はスキャン計画とよばれ、Ｘ線ＣＴ装置は一般に、スキャン計画を行うためのユーザインタフェースを備えている。
【０００４】
スキャン条件の設定にあたっては、オペレータは患者の被曝線量を考慮して行うことが重要である。患者の被曝線量は、スキャン条件の設定値（例えば、管電流、管電圧、スキャン時間等）に基づいて算出することができ（このように、スキャン条件の設定値に基づいて算出される患者の被曝予測線量を「ＣＴＤＩ値」と呼ぶ）、通常、Ｘ線ＣＴ装置は当該ＣＴＤＩ値をユーザインターフェース上に表示する機能を備えているため、オペレータは当該ＣＴＤＩ値を見ながら、上記スキャン計画を行う。
【０００５】
また、Ｘ線ＣＴ装置によっては、スキャンしようとする患者の過去のスキャン時の条件（過去にスキャンした際に被曝線量を考慮して設定したスキャン条件）をデータベース上から呼び出す機能を有しているものもあり（例えば、特許文献１参照）、かかる機能を利用することで、オペレータは被曝線量を抑えつつ良好な画質を得ることが可能なスキャン条件を容易に設定することができる。
【特許文献１】特開平９−２９９３６０号公報
【発明の開示】
【発明が解決しようとする課題】
【０００６】
しかしながら、上述したスキャン計画におけるスキャン条件の設定は、当該スキャン時の被曝線量のみを考慮して行うものであり、当該患者の過去のスキャン時の被曝線量を累積した累積被曝線量までは考慮されていない。しかし、患者の病気の回復が長引いた場合等、同じ患者が一定期間内に同一部位について複数回Ｘ線撮影を行うこともあり、その場合、一回ごとの被曝線量をそれぞれ基準値以下に設定していたとしても、一定期間内に一人の患者が受けた累積被曝線量が基準値を超えてしまう危険性がある。
【０００７】
特に、患者の撮影対象部位によっては許容される基準値が小さい部分があり（例えば、頭部の眼球部分は、一定期間に受ける被曝線量を他の部分に比べて低く抑えなければならない）、このような部分を含む部位のＸ線撮影にあたっては、１回あたりの被曝線量のほか、累積被曝線量も考慮してスキャン計画を立てる必要がある。しかし、これまでのＸ線ＣＴ装置では、このようなことまで考慮してスキャン計画を立てるのは困難であった。
【０００８】
本発明は上記課題に鑑みてなされたものであり、過去の累積した被曝線量を考慮したスキャン計画を容易に立てることが可能なＸ線ＣＴ装置を提供することを目的とする。
【課題を解決するための手段】
【０００９】
かかる課題を解決するための本発明のＸ線ＣＴ装置は、以下の構成を備える。すなわち、
Ｘ線管より発生するＸ線を被検体に複数方向から照射するスキャンを行い、該被検体の断層像を再構成するＸ線ＣＴ装置であって、
再構成時のスキャンにより前記被検体が受けた被曝線量に関する情報を、該断層像に付加して保持する保持手段と、
前記被検体を識別する識別情報に基づいて、前記保持手段に保持された被曝線量に関する情報を抽出し、前記スキャン方向と直交する軸に対する被曝線量分布を生成する生成手段と、
前記生成された被曝線量分布を表示する表示手段とを備える。
【発明の効果】
【００１０】
本発明によれば、過去の被曝線量を考慮したスキャン計画を立てることが可能となる。
【発明を実施するための最良の形態】
【００１１】
以下、添付図面に従って本発明に好適なる複数の実施の形態を詳細に説明する。なお、全図を通して同一符号は同一または相当部分を示すものとする。
【００１２】
［第１の実施形態］
＜全体システム構成＞
図１は、本発明の第１の実施形態にかかるＸ線ＣＴ装置のシステム構成図である。
【００１３】
図１に図示の如く、Ｘ線ＣＴ装置は、被検体（患者）へのＸ線照射と天板に乗せられた被検体を透過したＸ線の検出を行うためのガントリ１２０と、ガントリ１２０に対して指示信号を送信し各種設定を行うとともに、ガントリ１２０から出力されてきた投影データに基づいてＸ線断層像を再構成し、表示する操作コンソール１００、および被検体を載置し、ガントリ内部へ搬送する搬送装置１４０とにより構成されている。なお、本実施形態において被検体とは「患者」をいう（以下同じ）。また、操作コンソール１００からガントリ１２０に対する指示を示す信号を「指示信号」と称し、ガントリ１２０内部において各部を制御するための信号を「制御信号」と称す（以下同じ）。
【００１４】
１２０に示すガントリは、その全体を制御するメインコントローラ１２２を始め以下の構成を備える。
【００１５】
１２１は操作コンソール１００との通信を行うためのインターフェースである。また、１３２はガントリ回転部であり、内部には、Ｘ線を発生するＸ線管１２４、Ｘ線の照射範囲を規定するコリメータ１２７、コリメータ１２７のＸ線照射範囲を規定するスリット幅の調整、及びコリメータ１２７のＺ軸方向のスリット幅を調整するコリメータモータ１２６が設けられている。なお、Ｚ軸方向とは図面に垂直な方向、すなわち、後述する天板１４２が空洞部１３３に向かって搬送される方向であって、スキャン方向と直交する方向をいう。コリメータモータ１２６の駆動はコリメータコントローラ１２５により、また、Ｘ線管１２４はＸ線管コントローラ１２３により制御される。
【００１６】
また、１３２に示すガントリ回転部は、被検体を透過したＸ線を検出するＸ線検出部１３１、及びＸ線検出部１３１より得られた投影データを収集するデータ収集部１３０も備える。なお、Ｘ線検出部１３１には、複数の検出素子（チャネル）からなる検出素子群を有する検出器列がＺ軸方向に複数列配されている。
【００１７】
Ｘ線管１２４及びコリメータ１２７と、Ｘ線検出部１３１とは互いに空洞部分１３３をはさんで対向する位置に設けられ、その関係が維持された状態でガントリ回転部１３２が矢印１３５の向きに回転するようになっている。この回転は、回転モータコントローラ１２８からの駆動信号により所定の制御周期で回転速度制御される回転モータ１２９によって行われる。
【００１８】
また、搬送装置１４０は、被検体を実際に乗せる天板１４２と天板１４２を保持するテーブル１４３とを有し、天板１４２は天板モータ１４１によってＺ軸方向に駆動され、天板モータ１４１の駆動は天板モータコントローラ１３４からの駆動信号に基づいて所定の制御周期で搬送速度制御される。
【００１９】
メインコントローラ１２２は、Ｉ／Ｆ１２１を介して操作コンソール１００より受信した各種指示信号の解析を行い、それに基づいて上記のＸ線管コントローラ１２３、コリメータコントローラ１２５、データ収集部１３０は回転側コントローラ１３６を通して各種制御信号を出力し、回転モータコントローラ１２８、天板モータコントローラ１３４に対し、各種制御信号を出力することになる。また、データ収集部１３０で収集された投影データは、ＤＡＳＩ／Ｆ１３７を介して操作コンソール１００に送られる。
【００２０】
操作コンソール１００は、所謂ワークステーションであり、図示に示す如く、装置全体の制御を司るＣＰＵ１０５、ブートプログラム等を記憶しているＲＯＭ１０６、主記憶装置（メモリ）として機能するＲＡＭ１０７をはじめ、以下の構成を備える。
【００２１】
ＨＤＤ１０８は、ハードディスク装置であって、ここにＯＳならびにＸ線ＣＴ装置全体を統括する診断プログラムが格納されている。さらに、患者の過去のＸ線断層像もＨＤＤ１０８に格納されている。
【００２２】
また、ＶＲＡＭ１０１は表示しようとするイメージデータ（主に５１２×５１２画素）を展開するメモリであり、ここにイメージデータ等を展開することでＣＲＴ１０２にＸ線断層像を表示させることができる。１０３および１０４は各種設定を行うためのキーボードとマウスである。また、１０９はガントリ１２０と通信を行うためのインターフェースである。
【００２３】
なお、上述のように本実施形態ではＨＤＤ１０８内に患者の過去のＸ線断層像を格納することとしたが、これに限定されないことは言うまでもない。例えば、操作コンソール１００を外部ネットワークと接続し、当該ネットワーク上の任意のデータサーバにまとめて格納しておく形であってもよい。その場合、操作コンソール１００は必要に応じて、ネットワーク上のデータサーバにアクセスし、そのデータベースから所定の患者の過去のＸ線断層像を呼び出すことができるものとする。
【００２４】
＜Ｘ線断層像再構成までの流れ＞
本実施形態におけるＸ線ＣＴ装置の構成は概ね上記の通りであるが、かかる構成を有するＸ線ＣＴ装置を用いてＸ線断層像を再構成するまでの処理の概要は、図２のフローチャートに示すとおりである。なお、フローチャートは、操作コンソール１００で行う処理（ａ）と、ガントリ１２０で行う処理（ｂ）とに分けて描いている。
【００２５】
まず、患者を天板１４２上に横たえて、撮影のための位置合わせを行う（ステップＳ３０１）。位置合わせを終えしだい、スカウトスキャンを実施する（ステップＳ３０２）。スカウトスキャンとは、Ｘ線管１２４を所定位置に固定したまま（すなわち、ガントリ回転部１３２を回転させずに、一定の投影角度に固定したまま）、患者を乗せた天板１４２を徐々に搬送しながらＸ線を連続的に照射して得た投影データ（透視像データ）より、１枚の被検体透視像（スカウト画像）を得るものである。
【００２６】
ここでは、図３に示すように、Ｘ線管１２４を患者の真上にあたる投影角度０度に位置させて（回転モータコントローラ１２８の制御による）の第１のスカウトスキャンと、必要に応じてＸ線管１２４を被検体の真横に当たる投影角度９０度に位置させての第２のスカウトスキャンを行い、１種類または２種類のスカウト画像を撮る。
【００２７】
スカウトスキャンの実施にあたり、まず、操作コンソール１００側でスカウトスキャンの計画を行い、その後、実行指令をガントリ１２０に出す（ステップＳ２０１）。スカウトスキャンの条件設定および実行指令は、例えば図４に示すような、設定画面４００（操作コンソール１００のＣＲＴ１０２に表示される）を介して行われる。
【００２８】
図示のように、スカウトスキャン設定欄において、所定の基準位置に対するスカウトスキャンの開始位置、終了位置、Ｘ線管１２４に与える管電圧および管電流、そして、投影角度が設定できるようになっている。上記した２種類のスカウト画像を得るためには、スカウトスキャン設定欄に投影角度「０度」を入力した後、スカウトスキャン実行のスタートボタン４０２を押して、第１のスカウトスキャンを実行させる。続いて、同様に、スカウトスキャン設定欄に投影角度「９０度」を入力した後、スタートボタン４０２を押して、第２のスカウトスキャンを実行させることになる。もちろん、逆に、第２のスカウトスキャンを先に行うようにしてもよいし、第１および第２のスカウトスキャンを自動的に連続して行わせるモードが設けられていてもかまわない。また、スカウトスキャンを１枚のみ撮影してもよい。
【００２９】
ガントリ１２０は、スカウトスキャンの実行指令を受けて、上記した計画内容に従いスカウトスキャンを実施する（ステップＳ３０２）。スカウトスキャンによる投影データは操作コンソール１００側に転送される。この結果、図５に示す如く、天板１４２上のスカウト画像を取得することができる。
【００３０】
スカウトスキャンが終わると、ステップＳ２０２に進み、スキャン計画を立てる。スキャン計画は、ＣＲＴ１０２に表示されるスキャン計画画面において行われる。スキャン計画画面内には、取得した２枚のスカウト画像のうちいずれかのスカウト画像（例えば図５（ｂ）のスカウト画像）も表示される。オペレータはこのスカウト画像を見ながらスキャン計画を進めていく。なお、スキャン計画についての詳細な説明は後述する。
【００３１】
スキャン計画を終え、オペレータよるスキャン実行指示（ステップＳ２０３）に従い、スキャンを開始する（ステップＳ３０３）。スキャンは次のように行われる。まず、Ｚ軸方向の位置を固定して、Ｘ線管１２４からのＸ線ビームを患者に照射し（Ｘ線の投影）、その透過Ｘ線をＸ線検出部１３１で検出する。そして、この透過Ｘ線の検出を、Ｘ線管１２４とＸ線検出部１３１を被検体の周囲を回転させながら（すなわち、投影角度を変化させながら）複数（例えば、１０００）のビュー方向で、３６０度分行う。これを１つの単位として１スキャンとよぶ。検出された各透過Ｘ線は、データ収集部１３０でディジタル値に変換されて投影データとしてＤＡＳＩ／Ｆ１３７を介して操作コンソール１００に転送される。そして、順次Ｚ軸方向にスキャン位置を所定量移動して、次のスキャンを行っていく。このようなスキャン方式はコンベンショナル方式（アキシャルスキャン方式）とよばれるが、投影角度の変化に同期してスキャン位置を移動させながら（Ｘ線管１２４とＸ線検出部１３１とが患者の周囲をらせん状に周回することになる）投影データを収集する、ヘリカルスキャン方式であってもよい。
【００３２】
１スキャンを終了する度に、操作コンソール１００は、転送された投影データに基づいてＸ線断層画像を再構成し（ステップＳ２０４）、ＣＲＴ１０２に表示出力する（ステップＳ２０５）。
【００３３】
＜スカウト表示、スキャン計画についての説明＞
以下、ステップＳ２０２におけるスカウト表示、スキャン計画について詳細に説明する。
【００３４】
図６の６００は、ＣＲＴ１０２に表示されるスキャン計画画面の一例を示す図である。同図において、６０１は、上記したステップＳ３０２のスカウトスキャンで得られたスカウト画像を表示するイメージエリアである。「開始位置」欄６０２は、所定の基準位置に対するスキャンの開始位置を入力する欄、同様に、「終了位置」欄６０３は、所定の基準位置に対するスキャンの終了位置を入力する欄である。「スライス厚」欄６０４は、スキャンにおけるスライス厚を入力する欄である。「管電圧」欄６０５は、Ｘ線管１２４に与える管電圧の値を入力する欄であり、「管電流」欄６０６は、Ｘ線管１２４に与える管電流値を入力する欄である。「開始位置」欄６０２および「終了位置」欄６０３に値が入力されると、イメージエリア６０１のスカウト画像上に、対応するスキャン開始位置を示す線Ｚａおよびスキャン終了位置を示す線Ｚｂが表示され、その後、「スライス厚」欄６０４に値が入力されると、その値に基づき、線Ｚａ−Ｚｂ区間内におけるスキャン位置を示す線が表示される。
【００３５】
６０７はＣＴＤＩ値表示欄であり、従来技術でも述べたように、スキャン計画により設定されるスキャン条件（管電圧６０５、管電流６０６等）に基づいて算出されるスキャン時の患者の被曝予測線量を示す値である。
【００３６】
６０８、６０９はそれぞれ「画像履歴検索」ボタンおよび「Ｄｏｓｅ分布表示」ボタンであり、本発明の特徴である画像履歴検索処理ならびにＤｏｓｅ分布作成処理、およびＤｏｓｅ分布表示処理をそれぞれ実行させるためのユーザインターフェースである（なお、ここでは、「Ｄｏｓｅ分布」とはＺ軸方向の累積被曝線量分布をいうものとする）。以下に図７、８、９、１０を用いて当該処理の内容について詳細に説明する。
【００３７】
＜画像履歴検索処理ならびにＤｏｓｅ分布作成処理＞
図７は、画像履歴検索処理ならびにＤｏｓｅ分布作成処理の流れを示すフローチャートであり、図６の画像履歴検索ボタン６０８が押下されることで実行される。
【００３８】
はじめにステップＳ７０１において、患者情報を取得する。患者情報とはスキャンにあたり予め登録された患者についての詳細情報であり、例えば、患者ＩＤ、患者氏名、生年月日等の情報をいう。
【００３９】
ステップＳ７０２では、当該患者情報に基づいて画像履歴検索を行う。本実施形態では、患者ＩＤに基づいて、ＨＤＤ１０８に格納されたＸ線断層像を検索し、当該患者ＩＤを有するＸ線断層像について過去１年分を抽出することとするが、検索方法や、検索先、および検索期間については、特にこれに限定するものではない。また、検索対象も、Ｘ線断層像に限られず、例えば、レントゲン画像などを検索対象に入れてもよい。検索対象はＸ線ＣＴ装置のみならず、サーバのデータベース内も含めた方がより精度の高いＤｏｓｅ分布が作成可能である。
【００４０】
ステップＳ７０３では、抽出されたＸ線断層像に基づいてＤｏｓｅ分布を作成する。図８はＤｏｓｅ分布作成処理の概略を示す図であり、同図において８０１は、ＨＤＤ１０８内に格納されたＸ線断層像のうち、特定の患者ＩＤのものについて過去一年分を抽出したＸ線断層像群である。
【００４１】
各Ｘ線断層像８０３は、ヘッダ情報８０２が付加されており、Ｄｏｓｅ分布を作成するにあたっては、当該ヘッダ情報８０２に記載されたＣＴＤＩ値ならびにＺ軸方向のスライス位置を読み込み、Ｚ軸方向の各位置でのＣＴＤＩ値の累積値をプロットすることで８０４に示すＤｏｓｅ分布を作成する。なお、図８の例では、Ｚ軸方向の各位置にＸ線断層像が１枚ずつ抽出されているため、各ＣＴＤＩ値をそのままプロットしているが、Ｚ軸方向の同じ位置に複数のＸ線断層像が抽出された場合には、それらのＣＴＤＩ値の累積値がプロットされることとなる。
【００４２】
＜Ｄｏｓｅ分布表示処理＞
図９は、Ｄｏｓｅ分布表示処理の流れを示すフローチャートであり、図６のＤｏｓｅ分布表示ボタン６０９がクリックされることで実行される。
【００４３】
ステップＳ９０１では、作成されたＤｏｓｅ分布を読み込む。読み込まれたＤｏｓｅ分布は、ステップＳ９０２において規格化される。ここで、図１０を用いて当該規格化処理（ステップＳ９０２）について説明する。
【００４４】
上述のように、図７のフローチャートに従って作成されたＤｏｓｅ分布は、特定の患者ＩＤを有するＸ線断層像のうち、過去一年分のＸ線断層像に付加されたＣＴＤＩ値をグラフ化したものである。これに対して、スキャン計画画面６００には、スカウトスキャンによりスキャンされた部位のみのスカウト画像が表示される。
【００４５】
そこで、当該スカウト画像に対してＺ軸方向のスケールを合わせるために、スカウト画像のＺ軸方向のスケールを読み込み、Ｄｏｓｅ分布のＺ軸方向のスケールを当該読み込まれたスケールに規格化する処理が必要となってくる。図１０は、当該処理の概念を示す図であり、グラフ８０４は図７のフローチャートに従って作成されたＤｏｓｅ分布であり、グラフ１００１は、規格化後のＤｏｓｅ分布を示すものである。
【００４６】
図１０に示すように、患者の胸部のスカウト画像６０１に対応するＤｏｓｅ分布８０４−２を抽出し、Ｚ軸方向のスケールが一致するように変形したものがＤｏｓｅ分布１００１である。
【００４７】
図１１は、Ｄｏｓｅ分布表示ボタン６０９を押下後のスキャン計画画面の一例を示す図である。同図に示すように、スカウト画像とともに患者の過去一年間分のＤｏｓｅ分布がＺ軸方向に規格化して表示されるため、オペレータは当該表示に基づいて、スキャン計画を立てることが可能となる。
【００４８】
つまり、多少画質が劣化してでも患者の被曝線量を抑えるべきケースと、画質を重視して被曝線量を上げても良いケースとが、過去の累積被曝線量を考慮して判断することが可能となる。
【００４９】
以上の説明から明らかなように、本実施形態によれば、過去の被曝線量を考慮したスキャン計画を容易に行うことができる。
【００５０】
［第２の実施形態］
上記第１の実施形態では、スキャン計画画面において、過去一年分の患者のＤｏｓｅ分布を表示することとしたが、これに限られない。スキャン計画画面において設定されるスキャン条件に基づいて算出可能なＣＴＤＩ値６０７（今回のスキャンを行うにあたってのＣＴＤＩ値）を、当該Ｄｏｓｅ分布に加算して表示するようにしてもよい。これにより、オペレータは、過去の累積被曝線量に今回のスキャンにおける被曝線量を加えたトータルの被曝線量を簡単に認識することが可能となる。また、被曝の限度量も重ねて表示することにより、どこの部位を被曝を低減させればよいかもわかり有効である。
【００５１】
また、累積被曝線量の基準値もあわせて表示するようにしてもよい。これにより、設定したスキャン条件が適切であるか否かが一目でわかることとなる。
【００５２】
［他の実施形態］
なお、実施形態におけるＸ線ＣＴ装置の制御のほとんどは操作コンソール１００において行った。操作コンソール１００の構成自体は、汎用の情報処理装置（ワークステーションやパーソナルコンピュータ等）で実現できるものであるので、ソフトウェアを同装置にインストールし、それでもって実現することも可能である。つまり、前述した実施形態の機能を実現するソフトウェアのプログラムコードを記録した記憶媒体を、Ｘ線ＣＴ装置に供給し、そのＸ線ＣＴ装置のコンピュータ（またはＣＰＵやＭＰＵ）が記憶媒体に格納されたプログラムコードを読出し実行することによっても、達成されることは言うまでもない。
【００５３】
この場合、記憶媒体から読出されたプログラムコード自体が前述した実施形態の機能を実現することになり、そのプログラムコードを記憶した記憶媒体は本発明を構成することになる。
【００５４】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５５】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５６】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５７】
【図１】本発明の第１の実施形態にかかるＸ線ＣＴ装置の全体システム構成図である。
【図２】一般的なＸ線ＣＴ装置におけるＸ線断層像再構成までの流れを端的に示した図である。
【図３】スカウトスキャンを説明するための図である。
【図４】スカウトスキャンの条件設定および実行指令を行うための画面の一例を示す図である。
【図５】スカウト画像の一例を示す図である。
【図６】スキャン計画画面の一例を示す図である。
【図７】本発明の第１の実施形態にかかるＸ線ＣＴ装置における画像履歴検索処理ならびにＤｏｓｅ分布作成処理の流れを示すフローチャートである。
【図８】本発明の第１の実施形態にかかるＸ線ＣＴ装置における画像履歴検索処理ならびにＤｏｓｅ分布作成処理の概念を示す図である。
【図９】本発明の第１の実施形態にかかるＸ線ＣＴ装置におけるＤｏｓｅ分布表示処理の流れを示すフローチャートである。
【図１０】本発明の第１の実施形態にかかるＸ線ＣＴ装置におけるＤｏｓｅ分布表示処理の概念を示す図である。
【図１１】スキャン計画画面に、Ｄｏｓｅ分布を重ねて表示した場合の一例を示す図である。
【図１】
2005058653.tif 000003
【図２】
2005058653.tif 000004
【図３】
2005058653.tif 000005
【図４】
2005058653.tif 000006
【図５】
2005058653.tif 000007
【図６】
2005058653.tif 000008
【図７】
2005058653.tif 000009
【図８】
2005058653.tif 000010
【図９】
2005058653.tif 000011
【図１０】
2005058653.tif 000012
【図１１】
2005058653.tif 000013